(57)【要約】【課題】  エアカーテン作動による乗りかご内の室温変化を防止し、よりエアコン効率を高める構造をもつこと。【解決手段】  本発明のエレベーターの乗りかごは、上記課題を解決するために、昇降路内を上下に移動するかご室と、該かご室に設置され冷暖房機能を持つエアコン本体及び該エアコン本体からの冷暖房空気を前記かご室内に送風する送風ダクトからなるエアコン装置とを備えたエレベーターの乗りかごにおいて、前記かご室は、前記かご室の乗客が出入りする出入口部に送風するエアカーテン送風装置と、前記かご室内の空気を取り込むエアカーテン吸気装置とを備え、前記エアカーテン送風装置と前記エアカーテン吸気装置は、ダクトにより連結されていることを特徴とする。【選択図】図１
2018002418.tif 000002
【特許請求の範囲】
【請求項１】
昇降路内を上下に移動するかご室と、該かご室に設置され冷暖房機能を持つエアコン本体及び該エアコン本体からの冷暖房空気を前記かご室内に送風する送風ダクトからなるエアコン装置とを備えたエレベーターの乗りかごにおいて、
前記かご室は、前記かご室の乗客が出入りする出入口部に送風するエアカーテン送風装置と、前記かご室内の空気を取り込むエアカーテン吸気装置とを備え、前記エアカーテン送風装置と前記エアカーテン吸気装置は、ダクトにより連結されていることを特徴とするエレベーターの乗りかご。
【請求項２】
前記エアカーテン送風装置はファンを有し、前記ダクトの連結部に内蔵されている吸気ファンにより前記ダクト内より空気を吸気し、前記エアカーテン送風装置内で空気を圧縮して前記出入口部への送風を行ってエアカーテンを形成し、かつ、前記エアカーテン吸気装置はファンを有し、前記かご室内から空気を取り込み、前記ダクトの連結部に内蔵されている送風ファンにより前記ダクト内へ空気を送風することを特徴とする請求項１に記載のエレベーターの乗りかご。
【発明の詳細な説明】
【技術分野】
【０００１】
本発明はエレベーターの乗りかごに係り、特に、かご室内の空調を行うエアコン装置を具備したものに好適なエレベーターの乗りかごに関する。
【背景技術】
【０００２】
エアコン装置を設備したエレベーターの乗りかごに対し、エアコン装置を大型化することなく、エアコン効率を高める構造を持つエレベータの乗りかごが特許文献１に記載されている。
【０００３】
この特許文献１には、かご室と、エアコン本体、送風ダクトからなるエアコン装置を設備したエレベーターの乗りかごにおいて、出入口部分に上または横方向から送風するエアカーテンを設けたことが記載されている。
【先行技術文献】
【特許文献】
【０００４】
【特許文献１】特開平９−２５０７５号公報
【発明の概要】
【発明が解決しようとする課題】
【０００５】
上述した如く、特許文献１には、エアコン装置を具備したエレベーターの乗りかごに対し、エアコン装置を大型化することなく、エアコン効率を高めるためエアカーテンを設けたエレベーターの乗りかごが記載されている。
【０００６】
しかしながら、特許文献１に記載されたエアカーテンは、昇降路内の空気を取り込み送風するものであり、夏場は昇降路内の暖かい空気を乗りかご内に送風し、冬場は昇降路内の冷えた空気を乗りかご内へ送風するものであるため、乗りかご内の室温変化を防止するという点からは不十分であった。
【０００７】
本発明は上述の点に鑑みなされたもので、その目的とするところは、エアカーテン作動による乗りかご内の室温変化を防止し、よりエアコン効率を高める構造をもつエレベーターの乗りかごを提供することにある。
【課題を解決するための手段】
【０００８】
本発明のエレベーターの乗りかごは、上記目的を達成するために、昇降路内を上下に移動するかご室と、該かご室に設置され冷暖房機能を持つエアコン本体及び該エアコン本体からの冷暖房空気を前記かご室内に送風する送風ダクトからなるエアコン装置とを備えたエレベーターの乗りかごにおいて、前記かご室は、前記かご室の乗客が出入りする出入口部分に送風するエアカーテン送風装置と、前記かご室内の空気を取り込むエアカーテン吸気装置とを備え、前記エアカーテン送風装置と前記エアカーテン吸気装置は、ダクトにより連結されていることを特徴とする。
【発明の効果】
【０００９】
本発明によれば、エアカーテン作動による乗りかご内の室温変化も防止し、エアカーテンによる乗りかご内冷気流出防止と合わせ、さらなるエアコン効率の向上が達成される。
【図面の簡単な説明】
【００１０】
【図１】本発明のエレベーターの乗りかごの実施例１を示す概略側面図である。
【図２】図１のＡ−Ａ線に沿って断面して示すエレベーターの乗りかごの断面図である。
【発明を実施するための形態】
【００１１】
以下、図示した実施例に基づいて本発明のエレベーターの乗りかごを説明する。なお、各図において、同一構成部品には同符号を使用する。
【実施例１】
【００１２】
図１及び図２に、本発明のエレベーターの乗りかごの実施例１を示す。
【００１３】
図１に示す如く、本実施例のエレベーターの乗りかごは、昇降路１３内を上下に移動するエレベーター乗りかご（かご室）１と、乗客の乗り降り時に開閉するかご戸３を有し、各階に設けられたエレベーター乗り場２より乗客が乗り込み、目的階まで移動させるものである。
【００１４】
エレベーター乗りかご１上には、冷暖房機能を持つエアコン本体６が設置されており、このエアコン本体６による送風は、かご天井４に設置されたエアコン送風ダクト７によりエレベーター乗りかご１内へ送風される。
【００１５】
本実施例のエアカーテン装置は、エレベーター乗りかご１内へ圧縮空気を送風するエアカーテン送風装置８と、エレベーター乗りかご１内の空気を吸気するエアカーテン吸気装置９と、エアカーテン送風装置８とエアカーテン吸気装置９を連結するエアカーテン連結ダクト１０とにより構成される。
【００１６】
エアカーテン送風装置８はファンを有し、かご天井４に設置されエアカーテン連結ダクト１０の連結部に内蔵されている吸気ファンにより、エアカーテン連結ダクト１０内より吸気し、エアカーテン送風装置８内で空気を圧縮して出入口部へ送風を行い、エアカーテン（空気流の幕）１１をつくるものである。
【００１７】
ここでいう出入口部とは、エレベーター乗りかご１のかご戸３が設置されている側で、乗客がエレベーター乗りかご１内へ出入する側をいう。
【００１８】
また、エアカーテン吸気装置９はファンを有し、かご床５に設置され、エレベーター乗りかご１内から空気を取り込み、エアカーテン連結ダクト１０の連結部に内蔵されている送風ファンにより、エアカーテン連結ダクト１０内へ空気を送る装置である。
【００１９】
また、図２に示す如く、本実施例のエアカーテン装置は、かご床５に設置されたファンを有するエアカーテン吸気装置９により、エレベーター乗りかご１内から空気を取り込み、エアカーテン連結ダクト１０の連結部の送風ファンにより、エアカーテン連結ダクト１０内へ送られる。
【００２０】
かご天井４面に設置されたファンを有するエアカーテン送風装置８は、エアカーテン連結ダクト１０の連結部の吸気ファンにより、エアカーテン連結ダクト１０内より吸気し、エアカーテン送風装置８により、エレベーター乗りかご１内へ圧縮空気を吹き出し、出入口部にエアカーテン１１をつくる。なお、エアカーテン連結ダクト１０内の空気の流れを、符号１２で示す。
【００２１】
また、エアカーテン吸気装置９、エアカーテン送風装置８は、エレベーター乗りかご１が、いずれかのエレベーター乗り場２に着床するのと同時に作動し、かご戸３が開き乗り客が乗り降りし、かご戸３が閉じきるまでの間、出入口部にエアカーテン１１を作り、かご戸３が閉じた後、動作を停止する。
【００２２】
従来構造においては、かご天井４に設置されたエアカーテン送風装置８は、昇降路１３内の空気を取り込みエレベーター乗りかご１内へ吹き出すものであり、夏場は温度上昇した昇降路１３内の空気を取り込み、冬場は温度低下した昇降路１３内の空気を取り込みエレベーター乗りかご１内に吹き出すため、エレベーター乗りかご１内の室温変化を防止するという点からは不十分であった。
【００２３】
これに対して、本実施例では、かご床５に設置したエアカーテン吸気装置９により、エレベーター乗りかご１内の空気を取り込み、エアカーテン連結ダクト１０及びファンにより、かご天井４に設置されたエアカーテン送風装置８へ送られてエレベーター乗りかご１内へ吹き出すため、エアカーテン作動によるエレベーター乗りかご１内の室温変化を防止し、エアコン効率を高めることができる。
【００２４】
このような本実施例の構成とすることにより、エアカーテン作動によるエレベーター乗りかご１内の室温変化も防止し、エアカーテンによるエレベーター乗りかご１内の冷気流出防止と合わせ、さらなるエアコン効率の向上が達成される。
【００２５】
なお、図１及び図２では、エアカーテン装置をエレベーター乗りかご１の上下に設置した場合を示すが、エアカーテン装置をエレベーター乗りかご１の左右方向に設置し、エカーテン連結ダクト１０をかご天井４上、若しくはかご床５下を通す構造にしても良いことは言うまでもない。
【００２６】
このような構造の場合には、上述した実施例と同様な効果が得られることは勿論、エカーテン連結ダクト１０をエレベーター乗りかご１の左右方向に通すため、エレベーター乗りかご１全体のバランスを均等に保ちやすい効果がある。
【００２７】
なお、上記した実施例は本発明を分かり易く説明するために詳細に説明したものであり、必ずしも説明した全ての構成を備えるものに限定されるものではない。また、ある実施例の構成の一部を他の実施例の構成を置き換えることが可能であり、また、ある実施例の構成に他の実施例の構成を加えることも可能である。また、各実施例の構成の一部について、他の構成の追加・削除・置換をすることが可能である。
【符号の説明】
【００２８】
１…エレベーター乗りかご、２…エレベーター乗り場、３…かご戸、４…かご天井、５…かご床、６…エアコン本体、７…エアコン送風ダクト、８…エアカーテン送風装置、９…エアカーテン吸気装置、１０…エアカーテン連結ダクト、１１…エアカーテン、１２…エアカーテン連結ダクト内の空気の流れ、１３…昇降路。
【図１】
2018002418.tif 000003
【図２】
2018002418.tif 000004